Podtech/llm-jp-corpus-v4-ja_patent huggingface dataset:
(57)【要約】      （修正有）【課題】腕カバ−先端部の手首に当たる部分に生ゴム質弾性環状部を設けることにより、水仕事等の折、手首を伝わって袖口への水等の浸入を防ぐことができる、ラッパ形状防浸水、防水腕カバ−を提供する。【解決手段】イ、ラッパ形状防浸水、防水腕カバ−（１）の先端部に生ゴム質弾性管状部（２）を設ける。ロ、ラッパ形状防浸水、防水腕カバ−（１）先端部の生ゴム質弾性管状部（２）内側に任意数の環状突起（３）を設ける。ハ、ラッパ形状防浸水、防水腕カバ−（１）のラッパ形状開口部（４）の任意の場所にゴム紐（５）を設ける。以上のごとく構成されたラッパ形状防浸水、防水腕カバ−。【選択図】図２
0003116587.tif 000002
【実用新案登録請求の範囲】
【請求項１】
（イ），ラッパ形状防浸水、防水腕カバ−（１）の先端部に生ゴム質弾性管状部（２）を設ける。
（ロ），ラッパ形状防浸水、防水腕カバ−（１）先端部の生ゴム質弾性管状部（２）内側に任意数の環状突起（３）を設ける。
（ハ），ラッパ形状防浸水、防水腕カバ−（１）のラッパ形状開口部（４）の任意の場所にゴム紐（５）を設ける。
【考案の詳細な説明】
【考案の詳細な説明】
【産業上の利用分野】
【０００１】  この考案は、衣服着用時における洗顔、歯磨き、洗髪、洗い物等の場合に袖口を濡らしたり、袖口から浸入する水等を防ぐ働きをするラッパ形状防浸水、防水腕カバ−に関するものである。
【背景技術】
【０００２】  従来の腕カバ−は、衣服の袖口を濡らさない、汚さないことを主な目的で作られているものである。
【考案が解決しようとする課題】
【０００３】  これには次のような欠点があった。水等を用いての作業を肘より下方で行なう場合は良いが、肘より上方で行なう場合は、手に付いた水等は手首を伝って袖口の奥まで浸入してしまう。また、単なる筒状形状のため袖口の嵩張る衣服、和服等着用時の使用は困難である。本考案は、これらの欠点を除くためになされたものである。
【課題を解決するための手段】
【０００４】  ラッパ形状防浸水、防水腕カバ−（１）の先端部に生ゴム質弾性管状部（２）を設け、生ゴム質弾性管状部（２）内側に任意数の環状突起（３）を設け、ラッパ形状防浸水、防水腕カバ−（１）のラッパ形状開口部（４）の任意の場所にゴム紐（５）を設ける。
【作用】
【０００５】  衣服を着用しての洗顔、歯磨き、洗髪、洗い物等を袖をまくることなく、袖を濡らすことなく行なうことができる。
【実施例】
【０００６】  以下、本考案の実施例について説明する。
イ、ラッパ形状防浸水、防水腕カバ−（１）の先端部に生ゴム質弾性管状部（２）を設ける。
ロ、ラッパ形状防浸水、防水腕カバ−（１）先端部の生ゴム質弾性管状部（２）内側に任意数の環状突起（３）を設ける。
ハ、ラッパ形状防浸水、防水腕カバ−（１）のラッパ形状開口部（４）の任意の場所にゴム紐（５）を設ける。
本考案は以上のような構造で、これを使用するときは、ラッパ形状開口部から手を入れ、先端部の生ゴム質弾性管状部が手首に密着し、袖口及び袖を包む位置で用いる。
【考案の効果】
【０００７】  本校案は、洗顔、歯磨き、洗髪、洗い物等時手首を伝って水等が袖口に浸入するのを防ぐ。また、形状もラッパ筒状であるため、嵩張る袖口、和服の袂袖にも対応するラッパ形状防浸水、防水腕カバ−を提供する。
【図面の簡単な説明】
【図１】  本考案の斜視図である。
【図２】  本考案の一部を切り欠いた平面図である。
【符号の説明】
１、ラッパ形状防浸水、防水腕カバ−
２、生ゴム質弾性管状部
３、環状突起
４、ラッパ形状開口部
５、ゴム紐
【図１】
0003116587.tif 000003
【図２】
0003116587.tif 000004
【手続補正書】
【提出日】平成17年8月19日(2005.8.19)
【手続補正１】
【補正対象書類名】実用新案登録請求の範囲
【補正対象項目名】全文
【補正方法】変更
【補正の内容】
【実用新案登録請求の範囲】
【請求項１】
「ラッパ形状防浸水、防水腕カバ−において、
（イ）ラッパ形状防浸水、防水腕カバ−（１）の手首に当たる部分に生ゴム質弾性管状部（２）を設け、
（ロ）生ゴム質弾性管状部（２）内側に任意数の環状突起（３）を設け、
（ハ）ラッパ形状防浸水、防水腕カバ−（１）のラッパ形状開口部（４）にゴム紐（５）を設け、
以上の構成からなるラッパ形状防浸水、防水腕カバ−。」
(57)【要約】      （修正有）【課題】囲碁の基板に碁石の入る穴を明け、電車の中での競技中に碁石が動いたりすることを防止する。【解決手段】従来の石は、白ははまぐり、黒は本物の石から造ったものですから加工がむずかしいので、簡単に出来るプラスチック等を利用して加工製造します、碁石の穴に合わせて型取った石を造ります。【選択図】図１
0003116584.tif 000002
【実用新案登録請求の範囲】
【請求項１】
碁板に３６１個の碁石の穴を明けた碁板
【請求項２】
碁板に明けた穴に、型を合わせて造った碁石
【考案の詳細な説明】
【技術分野】
【０００１】本考案は囲碁の競技の時碁石が碁板から動くため、動きにくくする様考案しました。
【背景技術】
【０００２】旅行やピクニックの時、電車や自動車の席で競技する場合、碁石が丸く出来てますから動きやすいし安定性が悪かった。
【考案の開示】
【考案が解決しようとする課題】
【０００３】碁石が動き難くするために碁板と碁石を磁石でくっつけるものもあります。本考案は木製やベニヤ板に穴を貫通して、穴に碁石を入れて動きにくくした。
【課題を解決するための手段】
【０００４】厚さ６ミリメ−トルのベニヤ板４５センチメ−トル×６０センチメ−トルに黒い線を打ちます、たて、横、１９×１９＝３６１本。【０００５】その交点に直径１０ミリメ−トルの丸い穴を電気ドリルで貫通します、その板の裏に厚さ３ミリメ−トルのベニヤ板をボンドで張りつけます、その後ニスを塗り仕上げます
【考案の効果】
【０００６】今迄の碁石が、だ円形だったのですべりやすかった。本考案は碁板に穴を明けて碁石をその中へ打つと動きにくい。また  線と線の交点に正しく打てます。
【考案を実施するための最良の形態】
【０００７】碁板４５センチメ−トル×６０センチメ−トルの上に、たて、横１９×１９＝３６１本のスミを打って、その交点に直径１０ミリメ−トルの丸い穴を貫通して、その板の裏に厚さ３ミリメ−トルのベニヤ板をボンドで張り付けます、その後線が見える様に透明のニスを塗って仕上げます
【実施例】
【０００８】以下の添付図面に従って、実施例を説明する
１……ベニヤ板
２……裏ベニヤ板
３……加工碁石
３’…従来の碁石【０００９】図１の加工碁石は段差があり、横に動きにくくまた線の交点に定まります。従来の碁石も多少安定感がありますが、さらに表面にぶつぶつを加工すればなお良し。
【図面の簡単な説明】
【００１０】
【図１】は本考案の断面図、加工石、平面図
【図２】は図１と同じく断面図、従来石、平面図
【図３】は上から見た平面図  １は碁板、５は線、６は星
【符号の説明】
【００１１】１．  碁板
２．  碁板の裏板
３．  加工石と平面図
３’．従来の石と平面図
４．  貫通の穴
５．  碁板の線
６．  碁板の９個の目
【図１】
0003116584.tif 000003
【図２】
0003116584.tif 000004
【図３】
0003116584.tif 000005
【手続補正書】
【提出日】平成17年8月19日(2005.8.19)
【手続補正１】
【補正対象書類名】実用新案登録請求の範囲
【補正対象項目名】全文
【補正方法】変更
【補正の内容】
【実用新案登録請求の範囲】
【請求項１】
碁板に３６１個の碁石の入る穴を明けた碁板
(57)【要約】      （修正有）【課題】大型愛玩動物を飼う家庭及び動物病院などに対し、一層の利便性と搬送、収容の容易さを備えた動物医療用担架を提供する。【解決手段】布・皮・合成樹脂など、犬をはじめとする大型愛玩動物の搬送・収容に耐え得る素材を材料とした動物医療用担架で、担架自体が袋状の形態を有し、必要に応じて３方が開放可能なファスナーが付いている。また、複数の人間が持てる４つの取手を付け、利便性を高めている。【選択図】図１
0003116590.tif 000002
【実用新案登録請求の範囲】
【請求項１】
布・皮・合成樹脂等を材料としたシートに、大型重量動物の搬送性を高める為に取手を４ヶ所に設置。更にシート状の担架自体を袋状とし、動物を収容できる機能を持たせると共にファスナー等で３方が開閉可能な形状とした動物医療用担架。
【考案の詳細な説明】
【考案の詳細な説明】
【考案が解決しようとする課題】
【０００１】  近年、大型動物のペット化が進んでいるにも関わらず、怪我や病気、老犬などの大型動物の搬送に適当な搬送具が無く、人間用担架やダンボール・毛布・大型シーツなどを代用して、動物病院へ搬送しているのが現状であり、その利便性や安全性に大きな問題を有していた。また、動物病院でも、手術台の移動や術後の移動など、コンパクトで使いやすい搬送具が要望されていた。
【課題を解決する為の手段】
【０００２】  上記目的を達成する為に、担架のシート自体に直接４つの取手を取り付けた。また、担架シート自体を袋状とし、動物の収容を可能とし、更にファスナー等で３方が自由に開閉可能とした。
【考案の効果】
【０００３】  当考案は、４ヶ所の取手により、極めて効果的に動物を搬送する事ができると共に、担架を収容袋として使用する事が可能な為、動物の搬送途中での落下防止にも効果がある。また通常の担架と異なり、担架シートに直接取手が付いている為、スペースをとる事なく、エレベーター内や狭い手術室での移動用としても利便性が高いと思われる。
【図面の簡単な説明】
【図１】  動物医療用担架の、動物を収容する袋口を開いた斜視図である。
【図２】 
【図３】  動物医療用担架の裏側（取手側）である。
【図１】
0003116590.tif 000003
【図２】
0003116590.tif 000004
【図３】
0003116590.tif 000005
【手続補正書】
【提出日】平成17年8月18日(2005.8.18)
【手続補正１】
【補正対象書類名】実用新案登録請求の範囲
【補正対象項目名】全文
【補正方法】変更
【補正の内容】
【実用新案登録請求の範囲】
【請求項１】
布・皮・合成樹脂等を材料としたシートに、大型重量動物の搬送性を高める為に取手を４ヶ所以上に設置、更にシート状の担架自体を袋状とし、動物を収容できる機能を持たせると共にファスナー等で３方が開閉可能な形状とした動物医療用担架。
(57)【要約】      （修正有）【課題】誤って再度送信スイッチを操作しても、アンロックしてしまうことがないキーレスエントリ装置を提供する。【解決手段】送信スイッチの動作をクリック時とダブルクリック時とで分ける、あるいは車両などから信号音を発することにより、使用者の意思に反した動作を回避でき、盗難防止上優れたキーレスエントリ装置を提供できる。【選択図】図２
0003116583.tif 000002
【実用新案登録請求の範囲】
【請求項１】
送信機に設定された送信スイッチを操作することにより開閉体に設定された錠をロック又はアンロックするためのロック信号又はアンロック信号を受信機へ向けて出力し、受信機にて受信したロック信号又はアンロック信号に応じてロック・アンロック機構を作動させて錠をロック状態又はアンロック状態にするキーレスエントリ装置であって、前記送信機の送信スイッチをクリック操作でロック信号を、ダブルクリック操作でアンロック信号を出力する制御回路を備えることを特徴とするキーレスエントリ装置。
【請求項２】
ロック時あるいはアンロック時に受信機を備えた機器から信号音を発する、あるいは、ロック時とアンロック時で異なる信号音を発することを特徴とするキーレスエントリ装置。
【考案の詳細な説明】
【技術分野】
【０００１】
本考案はキーレスエントリ装置に関し、詳しくは車両や家屋のドア等の開閉体に設けられた錠を携帯用送信機の操作によりキーを差し込まずに外部からロック又はアンロックする装置に関する。
【背景技術】
【０００２】
従来から、送信機に設定された送信スイッチを操作して開閉体に設けられた錠をロック又はアンロックさせる装置が知られている。この装置としては、例えば、特開昭６２−２５３８８４号公報に記載されている装置がある。この従来装置は車両用のキーレスエントリ装置であって、送信機からの信号を車両側の受信機にて受信して車両毎に特定された特定コードを判別した後にドア錠をロック又はアンロックする構成となっている。この操作の状態を図１のフローチャートに示す。そして一般的には、この種の送信機は車両の扉開閉を機械的に行う鍵と一体になっていて、送信機の電池切れの場合にもロック、アンロックができるようになっている。
【考案の開示】
【考案が解決しようとする課題】
【０００３】
しかしながら、従来のものは、ロックをした直後に誤って再度送信スイッチを操作すると、また、アンロックしてしまうということがあった。すなわち、ロックした後、まだ車両からあまり離れていないときに、送信機の付いた鍵をキーホルダーに収納する際、あるいは衣服のポケット、ハンドバッグに収納する際に誤って送信スイッチを押してアンロックしてしまうことが往々にしてあり、車両は無施錠状態となって防犯上、好ましくない状態となりがちであった。こういった、使用者の意思に反した、いわば誤作動状態を回避すべく、ロック時には、４ウェイフラッシャーを１回点滅、アンロック時には同じく２回点滅させて使用者に警告する考案も実施されている。しかし、この方法でも、使用者が車両を離れて、すぐに後ろを向けば警告の意味をなさず、却って周囲の人にアンロック状態であり、使用者が気付いてないという情報を与え、防犯上は、より好ましくない状態となってもいた。
【課題を解決するための手段】
【０００４】
上記課題を解決するために本考案のキーレスエントリ装置は、送信機に設けた一つの送信スイッチを一回操作することでロックし、ロック状態で、もう一度送信スイッチを操作してもアンロックせず、連続した二回の操作、いわゆるダブルクリックすることでアンロック信号を出力する制御回路を備える。
【０００５】
あるいは、ロック、アンロック時に受信機を設けた側、すなわち車両から信号音を発して使用者に操作を知らせる。
【考案の効果】
【０００６】
本考案では、送信スイッチの操作を１回のクリックとダブルクリックで分けることで、使用者の意志を反映したロック信号ないしアンロック信号が送信され、使用者の意志を反映した所望のロック状態ないしアンロック状態が得られる。また、誤って施錠状態の車両ドアに対して送信スイッチを１回操作してもアンロック状態にならないので盗難防止上優れた装置が得られる。
さらに請求項２の考案では、特にアンロック時に信号音を発することにより、使用者の意思に反した解錠操作をした時に使用者が知ることができ、盗難防止上優れた装置が得られる。
【実施例】
【０００７】
図２のフローチャートに本考案の実施例を示す。キーレスエントリ装置を備えた車両から使用者が離れるとき、車両のドアは解錠状態にある。この状態でキーレスエントリ装置の送信機に設定された送信スイッチを１回クリックすることで、車両のドアは施錠状態となる。ここで、再度、送信スイッチを１回クリックしてもドアは解錠されず、施錠状態を維持する。同じく、送信スイッチをダブルクリックすれば、ドアを解錠することができる。
【０００８】
送信スイッチのダブルクリックの時間設定は、使用者の個人差があり、短い時間に設定すれば操作の遅い使用者は解錠することができない。これを解消するためには、パソコンのマウス操作設定などに実現されているように、ダブルクリックの速度設定を、小さなドライバなどで変えられるスイッチを設けると良い。
【０００９】
請求項２の考案は、ロック時あるいはアンロック時に車両から信号音を発することで、使用者にロックあるいはアンロックされたことを伝えることで、使用者の意思どおりに施錠、解錠できたかを知らせることができる。また、使用者の意思に反して解錠された場合に、使用者がそれを知ることができ、盗難防止を図ることができる。
【００１０】
さらに、この機能は使用者が信号音の有無、音量を設定できるようにすることも可能である。また、より確実にするために信号音の種類、鳴動時間などを変化させることもできる。
【図面の簡単な説明】
【００１１】
【図１】従来例の動作を説明する表である。
【図２】本考案の動作を締めすフローチャートである。
【図１】
0003116583.tif 000003
【図２】
0003116583.tif 000004
【手続補正書】
【提出日】平成17年8月16日(2005.8.16)
【手続補正１】
【補正対象書類名】実用新案登録請求の範囲
【補正対象項目名】請求項２
【補正方法】変更
【補正の内容】
【請求項２】
ロック時あるいはアンロック時に受信機を備えた機器から信号音を発する、あるいは、ロック時とアンロック時で異なる信号音を発することを特徴とする請求項１記載のキーレスエントリ装置。
(57)【要約】【課題】短い施工工期で、様々な寸法、形状の屋根を造ることを可能にする屋根構造を提供する。【解決手段】屋根構造は、在来軸組み工法による木造建築物の屋根構造であって、棟木１と軒桁２と母屋３と垂木４とから成る骨組みを有している。棟木１、軒桁２、母屋３および垂木４の各部材は、それぞれ伸縮可能な骨材５から成っている。骨材５は、２本以上の径の異なるＣ型チャンネル部材を伸縮可能に入れ子式に組み合わせた構造から成っている。骨材５の材質は、金属製である。骨材５は、ピン６および嵌合部材７により、所望の長さで固定可能となっている。【選択図】図１
0003116549.tif 000002
【実用新案登録請求の範囲】
【請求項１】
棟木と軒桁と母屋と垂木とから成る骨組みを有する屋根構造であって、前記棟木と前記軒桁と前記母屋と前記垂木のうち少なくとも１種は伸縮可能な骨材から成ることを、特徴とする屋根構造。
【考案の詳細な説明】
【技術分野】
【０００１】
本考案は、棟木と軒桁と母屋と垂木とから成る骨組みを有する屋根構造に関する。
【背景技術】
【０００２】
従来の木造建築物では、屋根の施工工期の短縮を図ることにより建築費用を低減するため、種々の開発が試みられている。例えば、屋根を１対の屋根パネルから構成し、屋根を組み立てるのに小屋束、母屋、棟木、垂木及び野地板等をなくして、施工工期が短くなるようにしたものがある（特許文献１参照）。
【０００３】
【特許文献１】特開平１０−１９６０３５号公報
【考案の開示】
【考案が解決しようとする課題】
【０００４】
しかしながら、屋根を１対の屋根パネルから構成した場合、定型の屋根しか造ることができず、様々な寸法、形状の屋根を造ることができないという課題があった。
【０００５】
本考案は、このような従来の課題に着目してなされたもので、短い施工工期で、様々な寸法、形状の屋根を造ることを可能にする屋根構造を提供することを目的とする。
【課題を解決するための手段】
【０００６】
上記目的を達成するために、本考案に係る屋根構造は、棟木と軒桁と母屋と垂木とから成る骨組みを有する屋根構造であって、前記棟木と前記軒桁と前記母屋と前記垂木のうち少なくとも１種は伸縮可能な骨材から成ることを、特徴とする。
【０００７】
本考案に係る屋根構造では、棟木と軒桁と母屋と垂木のうち少なくとも１種が伸縮可能な骨材から成るので、その骨材を伸縮させて設計図の長さで固定することにより、設計図に従い、様々な寸法、形状の屋根を造ることが可能となる。骨材の伸縮は、現場で行うことができるので、作業性が向上し、施工工期を短くすることができる。
【０００８】
なお、骨材は、２本以上の径の異なるＣ型チャンネル部材または筒状部材を伸縮可能に組み合わせた構造から成ることが好ましい。骨材の材質は、金属製が好ましい。骨材は、ピンまたはその他の固定部材により、所望の長さで固定可能となっていることが好ましい。
【考案の効果】
【０００９】
本考案によれば、短い施工工期で、様々な寸法、形状の屋根を造ることを可能にする屋根構造を提供することができる。
【考案を実施するための最良の形態】
【００１０】
以下、図面に基づき本考案の実施の形態について説明する。
図１は、本考案の実施の形態の屋根構造を示している。
図１（Ａ）に示すように、屋根構造は、在来軸組み工法による木造建築物の屋根構造であって、棟木１と軒桁２と母屋３と垂木４とから成る骨組みを有している。棟木１、軒桁２、母屋３および垂木４の各部材は、それぞれ伸縮可能な骨材５から成っている。図１（Ｂ）に示すように、骨材５は、径の異なるＣ型チャンネル部材から成る外筒５ａと内筒５ｂとを伸縮可能に入れ子式に組み合わせた構造から成っている。骨材５の材質は、金属製である。骨材５は、ピン６および嵌合部材７により、所望の長さで固定可能となっている。ピン６は組み合わされた骨材５の外筒５ａと内筒５ｂとを貫通して固定し、嵌合部材７は骨材５の端部を固定するようになっている。
【００１１】
屋根構造では、棟木１と軒桁２と母屋３と垂木４が伸縮可能な骨材５から成るので、その骨材５を伸縮させて設計図の長さで固定することにより、設計図に従い、様々な寸法、形状の屋根を造ることが可能となる。骨材５の伸縮は、現場で行うことができるので、作業性が向上し、施工工期を短くすることができる。
【図面の簡単な説明】
【００１２】
【図１】本考案の実施の形態の（Ａ）屋根構造を示す概略図、（Ｂ）屋根構造で用いられる骨材の斜視図である。
【符号の説明】
【００１３】
１  棟木
２  軒桁
３  母屋
４  垂木
５  骨材
６  ピン
７  嵌合部材
【図１】
0003116549.tif 000003
(57)【要約】【課題】小屋裏空間の温度を利用して、部屋の温度を下げることができる、換気筒を備えた建築物を提供する。【解決手段】換気筒を備えた建築物は、１階と２階の各部屋１，２を有する木造建築物であって、２階の部屋２の上に小屋裏空間３を有している。換気筒４が、１階と２階の各部屋１，２と小屋裏空間３を縦方向に貫通している。換気筒４は、上部４ａが屋外に開放しており、１階と２階の各部屋１，２の位置に開閉可能な換気口５，６を有している。換気口５，６は、断熱気密サッシから成っている。換気筒４は、小屋裏空間３の位置が金属板から成り、その位置で周囲が小屋裏空間３の温度により暖められて内部に上昇気流を発生させるようになっている。【選択図】図１
0003116548.tif 000002
【実用新案登録請求の範囲】
【請求項１】
部屋の上に小屋裏空間を有する建築物であって、前記部屋から縦方向に前記小屋裏空間を貫通して上部が屋外に開放した換気筒を有し、前記換気筒は前記部屋の位置に開閉可能な換気口を有し、前記小屋裏空間の位置で前記小屋裏空間の温度により暖められて内部に上昇気流を発生させる構成を有することを、特徴とする換気筒を備えた建築物。
【考案の詳細な説明】
【技術分野】
【０００１】
本考案は、部屋の上に小屋を有する、換気筒を備えた建築物に関する。
【背景技術】
【０００２】
従来の建築物、特に、木造建築物では、小屋裏空間が屋根からの太陽熱で温度が高くなるため、小屋裏空間の換気を促進して、温度を下げることが試みられている（特許文献１参照）。
【０００３】
【特許文献１】特開２００５−１３９７１３号公報
【考案の開示】
【考案が解決しようとする課題】
【０００４】
しかしながら、小屋裏空間の温度を下げただけでは部屋の温度を十分に下げることはできないという課題があった。
【０００５】
本考案は、このような従来の課題に着目してなされたもので、小屋裏空間の温度を利用して、部屋の温度を下げることができる、換気筒を備えた建築物を提供することを目的とする。
【課題を解決するための手段】
【０００６】
上記目的を達成するために、本考案に係る換気筒を備えた建築物は、部屋の上に小屋裏空間を有する建築物であって、前記部屋から縦方向に前記小屋裏空間を貫通して上部が屋外に開放した換気筒を有し、前記換気筒は前記部屋の位置に開閉可能な換気口を有し、前記小屋裏空間の位置で前記小屋裏空間の温度により暖められて内部に上昇気流を発生させる構成を有することを、特徴とする。
【０００７】
本考案に係る換気筒を備えた建築物では、小屋裏空間は屋根からの太陽熱で暖められ、部屋の温度より高温になる。換気筒の換気口を開いて、部屋の空気が換気筒の内部に流れるようにする。換気筒は、小屋裏空間の温度により暖められて内部に上昇気流を発生させる。上昇気流は、部屋の空気を換気口から換気筒の内部に吸い込み、上部から屋外に排出させる。これにより、部屋の換気が促進され、部屋の温度を効果的に下げることができる。
【０００８】
なお、換気筒は、円筒状、角筒状など断面形状を問わず、また、壁内空間から成っていてもよい。換気筒は、小屋裏空間の位置では、小屋裏空間の温度により暖められやすくするため、熱伝導性の良好な金属板などから成ることが好ましい。換気筒は、雨の吹き込みを防ぐため、内部を開閉可能なシャッターを有することが好ましい。この場合、シャッターは、雨検出センサにより雨を検出して閉じるようになっていることが好ましい。
【考案の効果】
【０００９】
本考案によれば、小屋裏空間の温度を利用して、部屋の温度を下げることができる、換気筒を備えた建築物を提供することができる。
【考案を実施するための最良の形態】
【００１０】
以下、図面に基づき本考案の実施の形態について説明する。
図１は、本考案の実施の形態の、換気筒を備えた建築物を示している。
図１に示すように、換気筒を備えた建築物は、１階と２階の各部屋１，２を有する木造建築物であって、２階の部屋２の上に小屋裏空間３を有している。換気筒４が、１階と２階の各部屋１，２と小屋裏空間３を縦方向に貫通している。換気筒４は、上部４ａが屋外に開放しており、１階と２階の各部屋１，２の位置に開閉可能な換気口５，６を有している。換気口５，６は、断熱気密サッシから成っている。換気筒４は、小屋裏空間３の位置が金属板から成り、その位置で周囲が小屋裏空間３の温度により暖められて内部に上昇気流を発生させるようになっている。
【００１１】
次に、作用について説明する。
図１に示す換気筒４を備えた建築物では、小屋裏空間３は屋根７からの太陽熱で暖められ、１階と２階の各部屋１，２の温度より高温になる。換気筒４の換気口５，６を開いて、各部屋１，２の空気が換気筒４の内部に流れるようにする。換気筒４は、小屋裏空間３の温度により暖められて内部に上昇気流を発生させる。上昇気流は、部屋１，２の空気を換気口５，６から換気筒４の内部に吸い込み、上部４ａから屋外に排出させる。これにより、部屋１，２の自然換気が促進され、部屋１，２の温度を効果的に下げることができる。
【図面の簡単な説明】
【００１２】
【図１】本考案の実施の形態の、換気筒を備えた建築物を示す概略図である。
【符号の説明】
【００１３】
１，２  部屋
３  小屋裏空間
４  換気筒
４ａ  上部
５，６  換気口
７  屋根
【図１】
0003116548.tif 000003
(57)【要約】      （修正有）【課題】小型・軽量化により現場に人力で容易に運搬ができ、迅速な測定が求められる中性子スペクルと中性子線量を同時に表示できる測定器を提供する。【解決手段】中性子線検出器部に比較的小さな減速材ポリエチレン球２を１個と位置検出型比例計数管（ＰＳＰＣ）１を１本用いることで小型・軽量化を図った。また、ＰＳＰＣ１をポリエチレン球から飛び出させることにより熱中性子を検出できる構造とし、幅広いエネルギー領域（熱中性子〜１０数 ＭｅＶ）の中性子スペクトルの検出を可能とした。さらに、検出された中性子スペクトルに荷重係数をかけることにより、中性子線量を評価・表示することができるシステムとするとともに、中性子の入射方向を考慮した応答関数を設定し、測定制度を向上させた。【選択図】図１
0003116543.tif 000002
【実用新案登録請求の範囲】
【請求項１】
減速材ポリエチレン球１個と位置検出型比例計数管（ＰＳＰＣ）１本用いて、アンフォールディングを一括したシステムにより、中性子エネルギーを弁別することを特徴とする可搬型中性子スペクトロメータ。
【請求項２】
検出器の構造は、位置検出型比例計数管（ＰＳＰＣ）の両端部を減速材ポリエチレン球の外に露出する形状とし、熱中性子を検出できることを特徴とする請求項１記載の可搬型中性子スペクトロメータ。
【請求項３】
屋外での測定を視野に、検出部（減速材ポリエチレン球・ＰＳＰＣ）を含めた測定器全体を小型・軽量化し、人力で運搬可能なことを特徴とする請求項１記載の可搬型中性子スペクトロメータ。
【考案の詳細な説明】
【技術分野】
【０００１】
本考案は、中性子エネルギー強度を弁別する中性子スペクトロメータに関するものである。
【背景技術】
【０００２】
従来、原子力施設や加速器施設などの漏洩中性子場において、中性子線量を測定するには、線量当量（レム値）を直接求め得る減速材型の検出器である中性子レムカウンタが用いられていた。しかしこのカウンタでは同時にその中性子エネルギーを測定することはできない。
【０００３】
一方、幅広いエネルギーをもった中性子線を測定する中性子スペクトロメータは、その検出器部に複数の減速材ポリエチレン球と位置検出型比例計数管（ＰＳＰＣ）とで構成されたもの、又は減速材ポリエチレン球１個に複数の位置検出型比例計数管（ＰＳＰＣ）が内蔵されたものが使用されているが、これでは大型化し、大重量物となるため、取り扱いが不便であった。
【考案の開示】
【考案が解決しようとする課題】
【０００４】
中性子スペクトロメータは、幅広いエネルギー領域（熱中性子〜１０数 ＭｅＶ）の中性子エネルギースペクトルから、適切なアンフォールディングを行うことにより、中性子線量を評価できることが必要である。
【０００５】
本考案は、従来の中性子線検出部を用いたものに対し、これをさらに小型・軽量化することにより測定現場に人力で容易に持ち運びができ、迅速な測定が求められる中性子スペクルと中性子線量とを同時に表示できる測定器を提供することを課題とする。
【課題を解決するための手段】
【０００６】
そこで、本考案の中性子スペクトロメータは、中性子線検出器部に比較的小さな減速材ポリエチレン球１個と位置検出型比例計数管（ＰＳＰＣ）１本用いてアンフォールディングを一括したシステムにすることによって、小型・軽量化を図り、中性子エネルギーを弁別できるようにした。
【０００７】
そして検出器の構造は、位置検出型比例計数管（ＰＳＰＣ）の両端部を減速材ポリエチレン球の外に露出する型状として熱中性子を検出できる構造とし、幅広いエネルギー領域（熱中性子〜１０数 ＭｅＶ）の中性子スペクトルの検出を可能とした。
【０００８】
また、検出された中性子スペクトルに荷重係数をかけることにより、中性子線量を評価・表示することができるシステムとし、さらに、中性子の入射方向を考慮した応答関数を設定し、測定精度の向上を可能とした。
【考案の効果】
【０００９】
請求項１による本考案の中性子スペクトロメータは、一人で持ち運べる大きさで重量も約２２Ｋｇと軽量となり、中性子スペクトル測定の迅速化が可能になった。
【００１０】
また、請求項２により、幅広いエネルギー領域（熱中性子〜１０数 ＭｅＶ）の中性子スペクトルの検出と中性子線量の表示が可能になった。
【００１１】
さらに、請求項３により、測定精度も向上し、原子力防災に対応した測定器を提供することが可能となった。
【考案を実施するための最良の形態】
【００１２】
以下、添付図面を参照して説明する。
本考案に係る可搬性中性子スペクトロメータは、図１に示すように、検出器部とプリアンプユニット３及び電源回路４等を収納した筐体５と、回路部９及び電源回路１０等を収納した筐体１１及びノートパソコン１５から構成されている。
【００１３】
検出器部は、１本の位置検出型比例計数管（ＰＳＰＣ）１を内蔵した１個の２３０mmφの減速材ポリエチレン球（ボナーボール）２とからなっている。
【００１４】
回路部９は、キャリブレーション回路６、入力処理回路７及びデジタル処理回路８とからなり、キャリブレーション回路６によりプリアンプユニット３は校正され、またプリアンプユニット３からの出力信号は入力処理回路７に入力される。
【００１５】
さらに、ノートパソコン（データ処理部）１５は、運用画面１２、ハードウエア１３、ソフトウエア１４等からなり、デジタル処理回路８からの出力信号はハードウェア１３に入力されるとともに、検出位置同定処理、アンフォールディング処理、中性子スペクトル表示等の機能を有する。
【００１６】
前記筐体５の外形寸法は、概略Ｗ４４６mm×Ｄ３６６mm×Ｈ２８３mmで、その重量が約１５kg、又前記筐体１１の外形寸法は、概略Ｗ４４６mm×Ｄ３６６mm×Ｈ１３６mmで、その重量が約７kgとなり、一人で十分持ち運べる大きさと重量となっている。
【００１７】
また、ノートパソコン１５の画面１２に、熱中性子〜１０数 ＭｅＶの領域の中性子スペクトル表示ができ、中性子線量も表示できるシステムとなっている。即ち検出された中性子スペクトルに荷重係数をかけることにより、中性子線量を評価・表示することができるシステムとし、さらに、中性子の入射方向を考慮した応答関数を設定し、測定精度の向上を可能とした。
【００１８】
なお、本考案は、電源開発促進対策特別会計法に基づく、文部科学省からの受託事業として実施した「緊急時対策総合支援システム調査」の成果である。
【図面の簡単な説明】
【００１９】
【図１】本考案に係る可搬性中性子スペクトロメータの構成を示すブロック図である。
【符号の説明】
【００２０】
１  位置検出型比例計数管（ＰＳＰＣ）
２  減速材ポリエチレン球（ボナーボール）
３  プリアンプユニット        ４  電源回路
５  筐体                      ６  キャリブレーション回路
７  入力処理回路              ８  デジタル処理回路
９  回路部                    10  電源回路
11  筐体                      12  運用画面
13  ハートウェア              14  ソフトウェア
15  ノートパソコン
【図１】
0003116543.tif 000003
(57)【要約】      （修正有）【課題】着座時における足や首の負担を軽減すると共に、頭部や腰部のクッション性を高めることで、快適感をより一層向上させることができる座椅子を提供する。【解決手段】座部２と背凭れ３を角度調節自在に連結した座椅子１において、座部２の略中央部に、座部前部２ａを下方向に折曲する連結金具を備え、かつ、背凭れ３の上部に、頭部配設部３ａを内側方向に折曲する連結金具を備える。また、座椅子１に着脱自在の緩衝具１０を設けた。【選択図】図１
0003116519.tif 000002
【実用新案登録請求の範囲】
【請求項１】
座部と背凭れを角度調節自在に連結した座椅子において、前記座部の略中央部に、座部前部を下方向に折曲する連結金具を備え、かつ、前記背凭れの上部に、頭部配設部を内側方向に折曲する連結金具を備えることを特徴とする座椅子。
【請求項２】
着脱自在の緩衝具を設けた請求項１記載の座椅子。
【考案の詳細な説明】
【技術分野】
【０００１】
本考案は、使用時において高い利便性を有すると共に、優れたクッション性をも有する座椅子に関する。
【背景技術】
【０００２】
従来、種々のタイプの座椅子が知られており、そのような中で背もたれ部だけでなく座部の角度を自在に調節可能な座椅子がある（例えば特許文献１参照）。特許文献１記載の座椅子は、床面に配置した座部と、該座部に対して枢着部を介して回動自在に連結した背もたれ部とからなり、前記座部に床面との角度を調節可能な調節手段を設け、使用時の利便性を高めようとするものである。
【特許文献１】特開２００２−３４７０２号公報（第１−２頁、図１、図２）
【考案の開示】
【考案が解決しようとする課題】
【０００３】
しかしながら、特許文献１記載の構造の座椅子では、座部が一体的に上昇されるため、着座中に窮屈な姿勢となり、膝や足先に負担が生じ、また、背凭れにおいても、平面状に形成されているため、長時間着座していると首や肩に負担が掛かるという問題があった。
【０００４】
そこで、本考案の目的は、着座時における足や首の負担を軽減すると共に、頭部や腰部のクッション性を高めることで、使用中の快適感を長時間に亘り持続させることができる座椅子を提供することにある。
【課題を解決するための手段】
【０００５】
上記課題を解決するために本考案の座椅子は、座部と背凭れを角度調節自在に連結した座椅子において、前記座部の略中央部に、座部前部を下方向に折曲する連結金具を備え、かつ、前記背凭れの上部に、頭部配設部を内側方向に折曲する連結金具を備えることを特徴とするものである。また、本考案の座椅子には、着脱自在の緩衝具を好適に設けることができる。
【考案の効果】
【０００６】
本考案によれば、座部の略中央部に、座部前部を下方向に折曲する連結金具を設けることで、座部中央を上昇させることができ、着座中に足を自然な状態で折り曲げて使用することが可能となり、膝や足先の負担が軽減されてリラックス感や安定性が向上する。また、前記背凭れの上部に、頭部配設部を内側方向に折曲する連結金具を設けることで、頭部の載置角度を自在に調節でき、首や肩の負担を軽減することができる。さらに、座椅子に着脱自在の緩衝具を設けることで、着座時における頭部や腰部のクッション性を高めることができる。
【考案を実施するための最良の形態】
【０００７】
以下、本考案における座椅子の実施の形態を図面に基づいて説明する。
図１は、本考案の一好適例である座椅子１の全体斜視図、また図２は前記座椅子１の内部構造を示す。前記座椅子１は、座部２と背凭れ３、および座部２と背凭れ３とを角度調節自在に連結する連結金具４を具備する。また、座部２と背凭れ３とは、それぞれ形状化されたパイプ芯材５にて形成されている。更に、座部２と背凭れ３には、発泡ウレタンからなる緩衝材６が配設されており、さらに緩衝材６の周囲にはカバー７が被覆されている。
【０００８】
前記カバー７は、例えば、通気性の高いメッシュ生地で好適に形成されており、背凭れ上部の頭部配設部３ａは、例えば、白色のメッシュ生地が、背凭れ３および座部２は、例えば、赤色、または黒色のメッシュ生地が夫々好適に使用されている。これにより、座椅子１の全体から斬新でファッション性の高い風合いを醸し出すことができる。
【０００９】
座部２の略中央部分には、座部前部２ａを下方向に折曲させる連結金具８が装着されている。かかる連結金具８は、汎用の座椅子に装着されている、座部と背凭れを多段階に角度調節する汎用のラチェット金具とすることができる。かかる連結金具８を装着することで、座部２を山形に形成することができ、図４の（ｂ）に示すように、着座中、足を自然な状態で折り曲げることが可能となり、リラックス感や安定性が向上する。
【００１０】
また、背凭れ３の上部には、頭部配設部３ａを内側方向に折曲させる連結金具９が装着されている。かかる連結金具９は、前記背凭れ３の上部であって、座椅子使用時、首や肩が配設される位置に装着されている。連結具９を装着することで、図４の（ａ）に示すように、頭部配設部３ａを自在に起伏させることができ、頭部の載置角度を任意に調節することができる。
【００１１】
また、本考案の他の好適例として、座椅子１に着脱自在の緩衝具１０を好適に具備することができる。かかる緩衝具１０は図３に示すように、内部に収容された緩衝材１２と、かかる緩衝材１２の周囲に被覆されたカバー１３とで形成された蒲鉾形状の本体１１と、本体１１の両側面に装着された伸縮材１４とで構成されている。なおカバー１３は、通気性の高いメッシュ生地を用いることが好ましい。
【００１２】
緩衝具１０を座椅子１に装着する際、伸縮材１４を伸ばして背凭れ３や座部２の端部より挿入させることで、緩衝具１０を所望の箇所に配設することができる。緩衝具１０を背凭れ３や座部２に配設することにより、使用時における高いクッション性が得られる。例えば図４の（ａ）に示すように、頭部配設部３ａを起立させ、かかる頭部配設部３ａの上面に緩衝具１０を配設させることで、後頭部や首、および肩のクッション性が高まり、横臥状態での読書やテレビ鑑賞を楽な姿勢で行うことができる。また図４の（ｂ）に示すように、背凭れ３を起立させ、かかる背凭れ３の腰配設付近に緩衝具１０を装着させることで、クッション性が得られると共に腰部が伸ばされた状態となり、長時間使用しても快適な着座状態を維持することができる。
【図面の簡単な説明】
【００１３】
【図１】本考案における座椅子の一部欠切状態の全体斜視図である。
【図２】前記座椅子の内部構造を示す全体図である。
【図３】（ａ）は緩衝具の表面を、（ｂ）は裏面をそれぞれ表す斜視図である。
【図４】（ａ）は緩衝具を頭部配設部に配設させた状態、（ｂ）は緩衝具を腰部に配設させた状態の使用例を表す説明図である。
【符号の説明】
【００１４】
１    座椅子
２    座部
２ａ  座部前部
３    背凭れ
３ａ  頭部配設部
４    連結金具
５    パイプ芯材
６    緩衝材
７    カバー
８    連結金具
９    連結金具
１０  緩衝具
１１  本体
１２  緩衝材
１３  カバー
１４  伸縮材
【図１】
0003116519.tif 000003
【図２】
0003116519.tif 000004
【図３】
0003116519.tif 000005
【図４】
0003116519.tif 000006
(57)【要約】【課題】  利用者がクランク軸の取外しと取り換えを素早くでき、さらに、三輪車のクランク軸を取外して、学習車に取り替えることができる子供両用車両組立・取外し構造を提供する。【解決手段】  車軸１と、クランク軸２と、ペダル３とを備え、車軸１両端の中央部に非円形断面の棒孔１１が設けられ、クランク軸２の一端はペダル３と回転軸接続し、他端は接ぎ合わせ部２１が設けられ、車軸１の棒孔１１に合わせられて接ぎ合わせ接続することを特徴とする子供両用車両組立・取外し構造。【選択図】  図１
0003116514.tif 000002
【実用新案登録請求の範囲】
【請求項１】
車軸と、クランク軸と、ペダルとを備え、
車軸両端の中央部に非円形断面の棒孔が設けられ、
クランク軸の一端はペダルと回転軸接続し、他端は接ぎ合わせ部が設けられ、車軸の棒孔に合わせられて接ぎ合わせ接続することを特徴とする子供両用車両組立・取外し構造。
【請求項２】
前記車軸の棒孔内面に凹み部が設けられ、クランク軸の接ぎ合わせ部にはこれに合わせてほぞが設けられることを特徴とする請求項１記載の子供両用車両組立・取外し構造。
【請求項３】
前記棒孔に貫通孔が横向きに設けられ、クランク軸はこれに合わせてスプリングフックが設けられて接続することを特徴とする請求項１記載の子供両用車両組立・取外し構造。
【考案の詳細な説明】
【技術分野】
【０００１】
本考案は一種の子供両用車両組立・取外し構造に関し、特に子供車両のクランク軸に取り付けたペダルの快速取り替え構造に関わるものである。
【背景技術】
【０００２】
子供遊戯車、三輪車と学習車においては、一般三輪車の前輪にクランク軸を取り付けてペダルと回転軸接続しておき、子供がこのペダルを踏んで前輪を駆動しながら前進する。
通常、子供が三輪車に乗れるまでには、一定期間の練習段階が必要で、そのとき、子供たちはまず足を床について三輪車を押しながら走行させる。しかしながら、前輪のクランク軸はペダルを駆動させると動くため、子供の足にぶつかって子供にけがをさせやすい。このため、クランク軸を取り付けない学習車が開発された。
【考案の開示】
【考案が解決しようとする課題】
【０００３】
しかしながら、幼児の成長は速いほか、学習効果も一定ではない。一部の幼児は数カ月掛かるのに対して、ある幼児はたったの２〜３週間で大人用のペダルを練習させなければならない。そのとき、保護者はその学習車を自転車の販売店に持ち込んで取り換えるなど、非常に面倒である。
本考案の目的は、利用者がクランク軸の取外しと取り換えを素早くでき、さらに、三輪車のクランク軸を取外して、学習車に取り替えることができる子供両用車両組立・取外し構造を提供することにある。
【課題を解決するための手段】
【０００４】
本考案は、車軸、クランク軸とペダルより構成される。そのうち、車軸両端の中央部に非円形断面の棒孔を設け、クランク軸の一端はペダルと回転軸接続で接続し、他端は接ぎ合わせ部が設けられ、車軸の棒孔に対応して接ぎ合わせ接続する。
そのうち、車軸の棒孔の内面に凹み部を設け、クランク軸の接ぎ合わせ部にはこれに合わせてほぞを設ける。
【０００５】
そのうち、棒孔に一つの貫通孔を横向きに設けて、クランク軸にスナップフックを設けて接続しておき、このスナップフックを押すことにより、取外しができる。
これにより、本考案は子供車両クランク軸ペダルの快速な取外し、取り換えができるため、保護者の経費を軽減できるほか、操作がとても便利であるという効果がある。
【考案を実施するための最良の形態】
【０００６】
図１と図２に示すように、本考案の一実施例による子供両用車両組立・取外し構造には、車軸１、クランク軸２とペダル３が含まれる。
そのうち、車軸１を前部また状パイプの軸受台(公知のものにつき、説明を省略)に回転軸接続した上、車軸１両端の中央部に非円形断面の棒孔１１を設け、車軸１の棒孔１１の内面に凹み部１２を設ける。
【０００７】
クランク軸２の一端をペダル３と回転軸接続しておき、他端には接ぎ合わせ部２１を設け、接ぎ合わせ部２１にほぞ２１１を設ける。
図２に示す通り、クランク軸２の接ぎ合わせ部２１を車軸１の棒孔１１に合わせて接続する。
【０００８】
図３は、本実施例による子供両用車両組立・取外し構造を三輪学習車に応用した状態を示す模式図である。
クランク軸２とペダル３を力を入れて車軸１より引き抜いて、取り換えを完了する。
図４に示すのは、本考案のもう一つの実施例であり、この実施例による子供両用車両組立・取外し構造には、車軸１Ａ、クランク軸２Ａとペダル３Ａが含まれる。
【０００９】
そのうち、車軸１Ａ両端の中央部に非円形断面の棒孔１１Ａを設け、車軸１Ａの棒孔１１Ａの内面の貫通孔１２Ａを設ける。
クランク軸２Ａの一端をペダル３Ａと回転軸接続しておき、他端には接ぎ合わせ部２１Ａを設け、接ぎ合わせ部２１Ａに貫通孔２１１Ａを設けて、スプリングフック２２Ａを突き出して設ける。
【００１０】
クランク軸２Ａの接ぎ合わせ部２１Ａは車軸１Ａの棒孔１１Ａに合わせて接続しておき、スプリングフック２２Ａを貫通孔１２Ａに挿入して固定する。
取り外しのとき、利用者は貫通孔１２Ａよりスプリングフック２２Ａを圧迫して、クランク軸２Ａの接ぎ合わせ部２１Ａより車軸１Ａの棒孔１１Ａを引き抜く。
前述のとおり、ペダルの取外しと取り換えが便利であることが分かる。
【図面の簡単な説明】
【００１１】
【図１】本考案の一実施例による子供両用車両組立・取外し構造を示す分解図である。
【図２】本考案の一実施例による子供両用車両組立・取外し構造を示す立体図である。
【図３】本考案の一実施例による子供両用車両組立・取外し構造を学習車に応用した状態を示す模式図である。
【図４】本考案のもう一つの実施例による子供両用車両組立・取外し構造を示す分解図である。
【符号の説明】
【００１２】
１  車軸、１Ａ  車軸、２  クランク軸、２Ａ  クランク軸、３  ペダル、３Ａ  ペダル、１１  棒孔、１１Ａ  棒孔、１２  凹み部、１２Ａ  貫通孔、２１  接ぎ合わせ部、２１Ａ  接ぎ合わせ部、２２Ａ  スプリングフック、２１１  ほぞ、２１１Ａ  貫通孔
【図１】
0003116514.tif 000003
【図２】
0003116514.tif 000004
【図３】
0003116514.tif 000005
【図４】
0003116514.tif 000006
(57)【要約】【課題】電球が用いられているランプシェードにおいてキャンドルも使用できるようにした、キャンドル・ホルダーを提供すること。【解決手段】凹状の受け部１２と嵌合胴部１４とからなり、嵌合胴部１４は電球ソケットの内周面２６ｂ又は外周面２６ｃと嵌合して固定される。嵌合胴部１４はばね片１４ｓでもよく、ソケット２６の外周面２６ｃを押圧するようにしてソケット２６に強く固定される。さらに嵌合胴部は外ねじを有したものが好ましく、電球ソケットの内ねじと螺着して固定される。【選択図】図１
0003116537.tif 000002
【実用新案登録請求の範囲】
【請求項１】
凹状の受け部（１２）と嵌合胴部（１４）とからなり、嵌合胴部（１４）は電球ソケットの内周面（２６ｂ）又は外周面（２６ｃ）と嵌合して固定されることを特徴とする、キャンドル・ホルダー。
【請求項２】
嵌合胴部がばね片（１４ｂ）からなる、請求項１に記載のキャンドル・ホルダー。
【請求項３】
凹状の受け部（１２）と嵌合胴部（１４）とからなり、嵌合胴部（１４）は外ねじを有し電球ソケット（２６）の内ねじと螺着して固定されることを特徴とする、キャンドル・ホルダー。
【考案の詳細な説明】
【技術分野】
【０００１】
本考案は、電球が用いられるランプシェードにおいて電球ソケットの受け口を利用してキャンドル（ローソク）が使用可能なキャンドル・ホルダーに関し、これにより電球を通常の照明に使っているとき、場合によってキャンドルを使うこともできる。
【背景技術】
【０００２】
キャンドルの優しい明かりは、そよ風や人の心拍のリズムと同じ「ｆ分の１」ゆらぎといい、人をリラックスさせる効果があるといわれる。またキャンドルによる火炎は不規則に揺れて幻想的な雰囲気を演出し、特に家庭内で人気があるが、火災になる恐れがあるため、その場に誰かいることが求められる。従って、電球を通常の照明として使い、場合によって電球に代えてキャンドルが使えるよう、提案される。
【考案の開示】
【考案が解決しようとする課題】
【０００３】
本考案の課題は、電球が用いられているランプシェードにおいてキャンドルも使用できるようにした、キャンドル・ホルダーを提供することである。
【課題を解決するための手段】
【０００４】
前記した課題は、凹状の受け部と嵌合胴部とを具有し、嵌合胴部は電球ソケットの内周面又は外周面と嵌合して固定されることにより、又は嵌合胴部が外ねじを有し電球ソケットの内ねじと螺着して固定されることにより、達成される。
【考案の効果】
【０００５】
人がそばにいないとき、または電灯による照明を好むときには電球がそのまま使用され、ディナーなどに幻想的な雰囲気を演出したいときには、キャンドルが使用でき、時と場所を選んで、使い分けができる。
【考案を実施するための最良の形態】
【０００６】
本考案によるキャンドル・ホルダーは、凹状の受け部と嵌合胴部とを具有し、嵌合胴部は、電球ソケットの内周面又は外周面と嵌合して固定されるようにし、その際嵌合胴部はばね片として構成してもよく、ホルダー自体が電球ソケット内から容易に離脱しないようにする。好ましくは、嵌合胴部が外ねじを有し電球ソケットの内ねじと螺着して固定される。受け部はカップインしたティーキャンドル、径の太いキャンドルなどを支持できるようにした寸法に設計される。
【実施例】
【０００７】
本考案の好適な実施例は図面に基づいて説明される。
図１はその１実施例を示した一部縦断面図である。
２０は上方が開口した箱型ランプシェードで、その底面で台座２４と連結されている。２２ａ，２２ｂは側壁部で、一方の側壁部２２ｂは縦長のスリットが設けられている。２６が電球ソケットであり、２６ａはその上端面、２６ｂは内周面、２６ｃは外周面であり、電球ソケット２６はブラケット２７によりランプシェード中央に支持され、ブラケット２７を介してランプシェード２０がその底面で固着具２６ｆにより台座２４と連結されている。２８は電気コードであり、一方の側壁部２２ｂのスリットを介して外部に延びている。
【０００８】
図１に示すキャンドル・ホルダー１０は、凹状の受け部１２と、電球ソケット２６の内周面２６ｂと嵌合して固定される嵌合胴部１４とを具備しており、嵌合胴部１４はソケット２６の内孔に深く嵌合され、容易に離脱しないよう固定される。
受け部１２には例えばカップインしたティーキャンドル３０が収容される。
【０００９】
図２に示す実施例では、キャンドル・ホルダー１０は、凹状の受け部１２と、電球ソケット２６の外周面２６ｃと嵌合して固定される嵌合胴部１４とを具備しており、嵌合胴部１４はばね片１４ｓからなり、ソケット２６の外周面２６ｃを押圧するようにしてソケット２６に強く固定される。
【００１０】
本考案による他の嵌合胴部は、図１に示す電球ソケットの内周面２６ｂの図示していない内ねじと螺着するような外ねじの付いたものが使用される。
【００１１】
本考案によれば、電球を使用するときはそれを電球ソケットに螺着させ、キャンドルを使いたいときには電球を電球ソケットから外して本考案によるキャンドル・ホルダーを電球ソケット受口の内外に固定させればよい。
【図面の簡単な説明】
【００１２】
【図１】１実施例を示した一部縦断面図。
【図２】他の実施例を示した一部縦断面図。
【符号の説明】
【００１３】
１０    キャンドル・ホルダー        １２    受け部        １４    嵌合胴部
２０    ランプシェード              ２４    台座          ２６    電球ソケット
２６ａ  上端面                      ２６ｂ  内周面        ２６ｃ  外周面
２７    ブラケット                  ２８    電気コード    
３０    ティーキャンドル
【図１】
0003116537.tif 000003
【図２】
0003116537.tif 000004